(57)【要約】【課題】  本発明は、錠剤をＰＴＰ包装体から取り出すことなくＰＴＰ包装体のまま患者に処方しても患者の服薬情報を略正確に記録することができるＰＴＰ包装体を提供する。【解決手段】  本発明のＰＴＰ包装体Ａは、錠剤Ｂを収納するための錠剤収納部11を有する収納シート１と、上記収納シート１の錠剤収納部11の開口部を閉止する封止シート２とを有するＰＴＰ包装体Ａであって、上記封止シート２は、基材シート2aと、上記基材シート2aにおける錠剤収納部11の開口部を閉止している閉止部22の内面22aにのみ形成されたコードＣとを有しており、上記コードＣに、上記錠剤収納部11に収納している錠剤Ｂの種類を記憶させていることを特徴とする。【選択図】  図１
2015126761.tif 000002
【特許請求の範囲】
【請求項１】
錠剤を収納するための錠剤収納部を有する収納シートと、上記収納シートの錠剤収納部の開口部を閉止する封止シートとを有するＰＴＰ包装体であって、上記封止シートは、基材シートと、上記基材シートにおける錠剤収納部の開口部を閉止している閉止部の内面にのみ形成されたコードとを有しており、上記コードに、上記錠剤収納部に収納している錠剤の種類を記憶させていることを特徴とするＰＴＰ包装体。
【請求項２】
コードが隠蔽層によって隠蔽されていることを特徴とする請求項１に記載のＰＴＰ包装体。
【請求項３】
基材シートの内面に光拡散層が形成されており、上記光拡散層上にコードが形成されていることを特徴とする請求項１又は請求項２に記載のＰＴＰ包装体。
【請求項４】
基材シートの閉止部の内面に、該閉止部が閉止している錠剤収納部毎に、複数個のコードが形成されていることを特徴とする請求項１〜３の何れか１項に記載のＰＴＰ包装体。
【請求項５】
一枚の収納シートにおいて、基材シートの閉止部の内面に形成されているコードが、錠剤収納部毎に異なっていることを特徴とする請求項１〜４の何れか１項に記載のＰＴＰ包装体。
【請求項６】
請求項１〜５の何れか１項に記載のＰＴＰ包装体と、上記ＰＴＰ包装体のコードを読み取るためのスキャナとを備えていることを特徴とする服薬記憶システム。
【請求項７】
スキャナは、ＰＴＰ包装体のコードから得られた錠剤の種類と、上記コードを読み取った時間とを一組として含む服薬情報を記憶するための服薬情報記憶部を有していることを特徴とする請求項６に記載の服薬記憶システム。
【発明の詳細な説明】
【技術分野】
【０００１】
現在、医療現場において、医師が処方した医薬品で経口投与する錠剤の多くは、プレススルーパック（ＰＴＰ包装）の包装形態で患者に渡される。これを医師の指示通りに服用する(「服用順守」という)ことでその薬の効果が判断できるものである。
【０００２】
現在は、患者が医師の指示通りに飲んだか否かは、患者からのヒアリングによるところに頼っているのが現状である。患者は、薬の服用を忘れていたり又は薬を全く服用していないにもかかわらず、薬を服用しているとの虚偽の回答をしたりすることもある。このような場合、医師は、患者の回答を信じて前回処方した薬が効いていないと判断し、新たな薬を処方してしまい、患者の病気の治療に悪影響を与える虞があるとの指摘や医療費高騰を招いているとの指摘もある。
【０００３】
そこで、特許文献１には、薬取出用の開閉部と、薬を収納しておくための収納部とを有する携帯用薬収納容器において、該開閉部が開閉されることにより切換えられるスイッチ手段と、時間を計測する計時手段と、該計時手段により計時された時刻と該スイッチ手段のスイッチ状況とを関連づけて記憶する記憶手段とを含み、該記憶手段に記憶された内容が読み出し可能である携帯用薬収納容器が提案されている。
【先行技術文献】
【特許文献】
【０００４】
【特許文献１】特開昭５９−１５６３５０号公報
【発明の概要】
【発明が解決しようとする課題】
【０００５】
しかしながら、特許文献１の携帯用薬収納容器は、錠剤を包装体から取り出した上で収納部内に収納して用いるものであることから、錠剤がＰＴＰ包装体の状態であっても錠剤をＰＴＰ包装体から取り出す必要があると共に、収納部内に収納した錠剤を全て服用し終わった場合には新たな錠剤を収納部内に収納する必要があり、医療機関の負担が大きいという問題点を有する。
【０００６】
本発明は、錠剤をＰＴＰ包装体から取り出すことなくＰＴＰ包装体のまま患者に処方し、患者の服薬情報を記録することができるＰＴＰ包装体及びこれを用いた服薬記録システムを提供する。
【課題を解決するための手段】
【０００７】
本発明のＰＴＰ包装体は、錠剤を収納するための錠剤収納部を有する収納シートと、上記収納シートの錠剤収納部の開口部を閉止する封止シートとを有するＰＴＰ包装体であって、上記封止シートは、基材シートと、上記基材シートにおける錠剤収納部の開口部を閉止している閉止部の内面にのみ形成されたコードとを有しており、上記コードに、上記錠剤収納部に収納している錠剤の種類を記憶させていることを特徴とする。
【０００８】
本発明の服薬記憶システムは、上記ＰＴＰ包装体と、上記ＰＴＰ包装体のコードを読み取るためのスキャナとを備えていることを特徴とする。
【発明の効果】
【０００９】
本発明のＰＴＰ包装体は、収納シートの錠剤収納部の開口部を閉止している基材シートの閉止部の内面にのみコードを形成しているので、錠剤収納部に収納している錠剤を取り出すために、基材シートの閉止部が破られて、基材シートの閉止部の内面が外部に露出した状態となるまで、コードを読み取ることはできない。
【００１０】
従って、ＰＴＰ包装体の封止シートにおける閉止部の内面に形成されたコードを読みとることができたということは、患者がＰＴＰ包装体から錠剤を取り出したことを意味し、患者が服薬したと判断することができる。そして、別途用意したスキャナを用いてコードを読み取ることによって患者の服薬情報の記録を行うことができ、この服薬情報を見て医師は、患者の病気に適切な治療を施すことができる。
【００１１】
上記ＰＴＰ包装体において、コードが隠蔽層によって隠蔽されている場合には、コードが形成されていることによる患者の心理的ストレスの発生を防止することができると共に、コードの偽造防止を図ることができ、より正確な服薬情報を得ることができる。
【００１２】
上記ＰＴＰ包装体において、基材シートの内面に光拡散層が形成されており、上記光拡散層上にコードが形成されている場合には、コードを読み取るために、スキャナから放射された光を光拡散層によって乱反射させて、スキャナによるコードの読み取り精度をより向上させることができ、より正確な服薬情報を安定的に得ることができる。
【００１３】
上記ＰＴＰ包装体において、基材シートの閉止部の内面に、該閉止部が閉止している錠剤収納部毎に、複数個のコードが形成されている場合には、錠剤収納部から錠剤を取り出す際に、基材シートの閉止部がどのように破れても、基材シートの閉止部の内面に形成された何れかのコードをスキャナで読み取ることができ、服薬情報を確実に得ることができる。
【００１４】
上記ＰＴＰ包装体において、一枚の収納シートにおいて、基材シートの閉止部の内面に形成されているコードが、錠剤収納部毎に異なっている場合には、一枚の収納シート内において、既に錠剤を取り出して外部に露出した状態のコードを読み取ったとしても、そのコードから読み取られた服薬情報は、以前に服薬した時の情報であると処理され、重複した服薬情報として記憶される。従って、医師は、患者が正しく服薬しているか否かを容易に認識することができ、今後の患者の病気の治療を適切に行うことができる。
【図面の簡単な説明】
【００１５】
【図１】本発明のＰＴＰ包装体を示した断面図である。
【図２】本発明のＰＴＰ包装体を示した部分拡大断面図である。
【図３】基材シートの閉止部が破られてコードが外部に露出した状態の一例を示した模式図である。
【図４】基材シートの閉止部が破られてコードが外部に露出した状態の他の一例を示した模式図である。
【図５】本発明のＰＴＰ包装体の他の一例を示した部分拡大断面図である。
【図６】本発明の服薬記憶システムの動作を示したフローチャートである。
【図７】服薬記憶システムのスキャナの機能構成を示した図である。
【図８】服薬記憶システムのスキャナのハードウエア構成を示した図である。
【発明を実施するための形態】
【００１６】
本発明のＰＴＰ包装体の一例を図面を参照しながら説明する。ＰＴＰ包装体Ａは、図１に示したように、錠剤Ｂを収納するための複数個の錠剤収納部11を有する収納シート１と、収納シート１の錠剤収納部11の開口部を閉止する封止シート２とを有している。
【００１７】
収納シート１は、通常、平面長方形状に形成されており、公知の合成樹脂シートを汎用の熱成形方法を用いて部分的に膨出させることによって複数個の錠剤収納部11が形成されている。なお、合成樹脂シートを構成している合成樹脂としては、例えば、ポリエチレンテレフタレートシートなどのポリエステル系樹脂、ポリ塩化ビニルなどのポリ塩化ビニル系樹脂、ポリスチレン系樹脂などが挙げられる。熱成形方法としては、例えば、真空成形方法、圧空成形方法などが挙げられる。
【００１８】
そして、図１及び図２に示したように、収納シート１における錠剤収納部11の開口部が形成されている面1aには、錠剤収納部11を閉止するために封止シート２が積層一体化されている。
【００１９】
封止シート２は、基材シート2aと、この基材シート2aにおける錠剤収納部11の開口部を閉止している閉止部22の内面にのみ形成されたコードＣとを有している。封止シート２の基材シート2aは基材シート本体2bを含んでいる。基材シート本体2bとしては、特に限定されないが、アルミニウム箔などの金属箔が好ましい。
【００２０】
基材シート2aの基材シート本体2bにおける収納シート１側の面には必要に応じて光拡散層20が積層一体化されている。光拡散層20は、後述するスキャナ３から放射される光をスキャナ３側に拡散反射して、スキャナ３による後述するコードＣの読み取り精度を向上させるために設けられている。なお、光拡散層20は、光拡散性微粒子を含むインキを基材シート本体2bの表面に汎用の印刷方法を用いて印刷することによって形成することができる。光拡散性微粒子としては、特に限定されず、例えば、酸化チタン、マイカなどが挙げられる。又、光拡散層20が設けられていない場合には、基材シート本体2bにおける収納シート１側の面は、スキャナ３から放射された光が乱反射するように構成していることが好ましい。例えば、基材シート本体2bがアルミニウム箔である場合、アルミニウム箔のマット面（艶消し面）が、収納シート１側の面となるように構成することが好ましい。
【００２１】
光拡散層20は、基材シート2aの基材シート本体2bにおける収納シート１側の面の全面に積層一体化されていても部分的に積層一体化されていてもよい。基材シート2aの基材シート本体2bにおける収納シート１側の面上において、収納シート１の錠剤収納部11の開口端を封止シート２側に向かって投影した部分（閉止部22）のみに、即ち、収納シート１の錠剤収納部11の開口端に対向する部分のみに、光拡散層20を形成することによって、後述する封止シート２の基材シート2aにおける閉止部22の強度を強くすることができ、閉止部22を破って錠剤を取り出す時に、図３に示したように、錠剤収納部11の開口端縁に沿って閉止部22が破られ易くなり、閉止部22の内面22aに形成したコードＣがスキャナ３によって更に読み取り易くなり好ましい。
【００２２】
基材シート2aの光拡散層20上には、収納シート１の錠剤収納部11に収納される錠剤Ｂの種類や製造会社などの錠剤の基本情報などを示した印刷層21が積層一体化されている。印刷層21は、汎用の印刷方法を用いて形成すればよい。なお、印刷層21は、光拡散層21上に部分的に積層一体化されており、光拡散層21の光拡散性に影響は殆ど与えない。
【００２３】
更に、封止シート２の印刷層21上にはコードＣが形成されている。コードＣとしては、従来公知のコードが用いられ、例えば、ドットコード、バーコード、ＱＲコード（登録商標）、データマトリックスなどが挙げられ、ドットコードは、単位面積（１ｃｍ2）当たりに複数個のドットコードを鮮明に形成することができ好ましい。コードＣは暗号化されていてもよい。
【００２４】
コードＣには、錠剤収納部11内に収納している錠剤Ｂの種類に関する情報が少なくとも記憶されている。コードＣには、錠剤Ｂの種類に関する情報の他に、服用の注意情報などの錠剤Ｂに関する情報が記憶されていてもよい。
【００２５】
上述の通り、収納シート１における錠剤収納部11の開口部が形成されている面1aには、錠剤収納部11を閉止するために封止シート２が積層一体化されており、各錠剤収納部11の開口部は、封止シート２によって閉止されている。
【００２６】
封止シート２の基材シート2aにおける各錠剤収納部11の開口部を閉止している各閉止部22の内面22a（収納シート１側の面）にのみコードＣが形成されている。なお、図１においては、基材シート2aに光拡散層20及び印刷層21を形成した場合を説明したが、光拡散層20及び／又は印刷層21は必要に応じて形成されればよい。一方、封止シート２の基材シート2aにおける閉止部22の内面22a以外にコードＣは形成されていない。つまり、収納シート１の錠剤収納部11の開口端を封止シート２に向かって投影した部分以外、即ち、収納シート１の錠剤収納部11の開口端に対向する部分以外にはコードＣは形成されていない。
【００２７】
図３及び図４に示したように、コードＣは、基材シート2aの閉止部22ごとに複数個ずつ、好ましくは、縦方向及び横方向に碁盤目状に形成されている。従って、錠剤収納部11に収納している錠剤Ｂを取り出す時に、封止シート２の基材シート2aの閉止部22がどのように破れても、何れかのコードＣは読み取り可能な状態となっており、スキャナ３によってコードＣを読み取り、服薬情報を確実に読み取ることができる。
【００２８】
又、一枚の収納シート１（一枚のＰＴＰ包装体Ａ）において、封止シート２における基材シート2aの閉止部22の内面22aに形成されているコードＣは、閉止部22が閉止している錠剤収納部11毎に異なるコードであることが好ましい。
【００２９】
即ち、一枚の収納シート１（一枚のＰＴＰ包装体Ａ）において、複数個の錠剤収納部11が形成されており、各錠剤収納部11の開口部はそれぞれ、封止シート２の基材シート2aの閉止部22によって閉止されている。そして、閉止部22の内面22aには、錠剤収納部11毎に異なるコードＣが形成されている。なお、一の錠剤収納部11を閉止している基材シート2aの閉止部22の内面22aに複数個のコードＣが形成されている場合、複数個のコードＣは全て同一のコードとされる。
【００３０】
このように、基材シート2aの閉止部22の内面22aに形成されたコードＣが錠剤収納部11毎に相違していることによって、以前の服薬時に別の錠剤収納部11から錠剤Ｂを取り出すことによって外部に既に露出していたコードＣを誤って又は意図的に読み込み、誤った服薬情報が、医師が分からないまま蓄積されるのを防止し、より正確な服薬情報を得ることができる。
【００３１】
封止シート２の基材シート2aにおける閉止部22の内面22aにコードＣを形成する方法としては、特に限定されず、例えば、スキャナ３が放射する光を吸収する色材を含むインキを用いて汎用の印刷方法により所定部分にコードＣを印刷する方法が挙げられる。例えば、スキャナ３が放射する光が赤外線である場合、赤外線を吸収する色材としては、例えば、カーボンブラックなどが挙げられる。
【００３２】
上記では、基材シート2aの印刷層21上にコードＣを形成した場合を説明したが、図５に示したように、印刷層21中にコードＣを上記錠剤の基本情報などと共に含めて形成してもよい。
【００３３】
更に、封止シート２のコードＣ上には、コードＣを隠蔽するために隠蔽層23が積層一体化されていることが好ましい。隠蔽層23は、閉止部22の内面22a上のみに積層一体化されてもよいが、基材シート2aにおける収納シート１側の面に全面的に積層一体化されていてもよい。隠蔽層23は、スキャナ３がコードＣを読み取るために放射する光を実質的に吸収せず、スキャナ３によるコードＣの読み取りを可能とするように構成されている。
【００３４】
隠蔽層23によりコードＣが隠蔽されていることによって、コードＣが偽装されるのを防止することができると共に、患者が錠剤収納部11から錠剤Ｂを取り出したときにコードＣを認識できないようにして心理的なストレスが発生するのを防止することができる。
【００３５】
基材シート2aの基材シート本体2bにおける収納シート１側の面上において、収納シート１の錠剤収納部11の開口端を封止シート２側に向かって投影した部分（閉止部22）のみに、即ち、収納シート１の錠剤収納部11の開口端に対向する部分のみに隠蔽層23を形成することによって、閉止部22の強度を強くすることができ、閉止部22を破って錠剤を取り出す時に、図３に示したように、錠剤収納部11の開口端縁に沿って閉止部22が破られ易くなり、閉止部22の内面22aに形成したコードＣがスキャナ３によって更に読み取り易くなり好ましい。
【００３６】
上述のように、基材シート2aの基材シート本体2bにおける収納シート１側の面上において、収納シート１の錠剤収納部11の開口端を封止シート２側に向かって投影した部分（閉止部22）のみに、上記光拡散層20及び上記隠蔽層23の何れか一方又は双方を形成することによって、閉止部22の強度を強くすることができ、閉止部22を破って錠剤を取り出す時に、図３に示したように、錠剤収納部11の開口端縁に沿って閉止部22が破られ易くなる。    
【００３７】
封止シート２のコードＣ上に隠蔽層23を形成する方法としては、特に限定されず、例えば、スキャナ３が放射する光を実質的に吸収しないインキを用いて汎用の印刷方法により少なくともコードＣ上に、好ましくは、基材シート2aにおける収納シート１側の面の全面に印刷する方法が挙げられる。なお、隠蔽層23には、図柄又は文字が含まれていてもよい。スキャナ３が放射する光が赤外線の場合、スキャナ３が放射する光を実質的に吸収しないインキに用いることができる色材としては、例えば、ペリレンブラック、アゾレッド、フタロシアニンブルー、フタロシアニングリーン、ジスアゾイエロー、ジスアゾオレンジ、ジオキサジンバイオレット、酸化チタンなどが挙げられる。
【００３８】
そして、封止シート２と収納シート１との間には接着剤層24が介在しており、この接着剤層24によって収納シート１と封止シート２とが剥離不能に積層一体化されている。なお、接着剤層24を構成している接着剤としては、例えば、汎用のホットメルト接着剤を用いることできる。接着剤層24は、スキャナ３がコードＣを読み取るために放射する光を実質的に吸収せず、スキャナ３によるコードＣの読み取りを可能とするように構成されている。
【００３９】
又、封止シート２の基材シート2aにおける収納シート１とは反対側の面には、光拡散層25、印刷層26又は保護層27が必要に応じて順次、形成されていてもよい。光拡散層25及び印刷層26は、上記と同様の構成であるのでその説明を省略する。なお、光拡散層20、25は互いに同一であっても相違してもよい。印刷層21、26は互いに同一であっても相違してもよい。保護層27は、印刷層26を保護することができれば、特に限定されず、例えば、アクリル系樹脂層、エポキシ樹脂などが挙げられる。
【００４０】
次に、ＰＴＰ包装体を用いた服薬記憶システムＤについて図６に示したフローチャートを参照しながら説明する。服薬記憶システムＤは、図７及び図８に示したように、上記ＰＴＰ包装体Ａとスキャナ３とを含む。なお、一枚の収納シート１（一枚のＰＴＰ包装体Ａ）において、封止シート２の基材シート2aの閉止部22の内面22aに形成されたコードＣが、閉止部22が閉止している錠剤収納部11毎に異なるコードである場合について説明する。
【００４１】
医師が患者に薬を処方した時には、ＰＴＰ包装体Ａの各錠剤収納部11内には錠剤Ｂが収納されており、各錠剤収納部11は封止シート２の基材シート2aの閉止部22によって完全に閉止された状態となっている。なお、錠剤にはカプセル剤も含まれる。
【００４２】
薬を処方された患者は、ＰＴＰ包装体Ａの錠剤収納部11内に収納された錠剤Ｂを服用する場合、ＰＴＰ包装体Ａの錠剤収納部11の底部を封止シート２側に向かって押圧することによって、封止シート２に押圧力を加え、封止シート２の基材シート2aの閉止部22を破って錠剤Ｂを取り出して服用する。
【００４３】
錠剤Ｂを取り出す際に封止シート２の閉止部22は、図４に示したように、その中央部から破られ、或いは、図３に示したように、錠剤収納部11の開口端縁に沿って破られるなど、不規則に破られる。
【００４４】
しかしながら、封止シート２の基材シート2aにおける閉止部22の内面22aにはコードＣが複数個形成されていることから、一のコードＣが錠剤を錠剤収納部11から取り出す過程で破られても、他の一又は複数のコードＣは読み取り可能に保持された状態で外部に露出した状態となる（図３及び図４参照）。
【００４５】
次に、外部に露出した状態となったコードＣをスキャナ３を用いて読み取る。スキャナ３は、機能的には、図７に示したように、コード読取部31と、制御部32と、時間記憶部33と、コード記憶部34と、服薬情報記憶部35と、出力部36と、入力部37とを有している。又、スキャナ３は、物理的には、図８に示したように、ＣＰＵ(Central Processing Unit)41と、ＲＯＭ(Read Only Memory)42と、ＲＡＭ(Random Access Memory)43と、ＳＳＤ（Solid State Drive）やＨＤＤ（Hard Disk Drive）などの補助記憶装置44と、コード読取モジュール45と、ディスプレイ、スピーカなどの出力モジュール46と、タッチパネル、キーボード、ボタンなどの入力モジュール47とを有している。
【００４６】
図７において説明したスキャナ３の各機能は、図８に示したＣＰＵ41やＲＡＭ43上に所定のプログラムを読み込ませることにより、ＣＰＵ41の制御のもとでコード読取モジュール45及び出力モジュール46を作動させると共に、ＲＡＭ43や補助記憶装置44におけるデータの読み出し及び書き込みを行うことで実現される。
【００４７】
スキャナ３の制御部32は、ＣＰＵ41を備えたものであってＲＯＭ42などに記憶されているプログラムを実行することでスキャナ３が具備する各種機能を制御する。
【００４８】
スキャナ３のコード読取部31を構成しているコード読取モジュール45をＰＴＰ包装体ＡのコードＣ上に当てて、コード読取モジュール45から特定波長（例えば、赤外線）の光をコードＣに向かって放射してコードＣを読み取る〔ステップ１（Ｓ１）〕。
【００４９】
スキャナ３でコードＣを読み取る時に、スキャナ３から「体の具合が悪い所はありますか。」という音声が自動的に発せられる〔ステップ７（Ｓ７）〕。患者は、体の具合が悪いところがある場合には、スキャナ３に備えられた入力モジュール47を用いてスキャナ３に「体の具合が悪い所がある」との回答を入力する。制御部32は、「体の具合が悪い所がある」との回答があった場合には、「１．吐き気がする」「２．熱がある」「３．体がだるい」「４．その他」などの病状の選択肢をスキャナ３のディスプレイなどの出力モジュール46上に表示させ、患者はその病状を入力モジュール47を用いて選択、入力し、制御部32は、入力部37から受信した患者の病状を一時的に記憶する〔ステップ８（Ｓ８）〕。
【００５０】
一方、「体の具合の悪いところはない」場合には、患者はスキャナ３に備えられた入力モジュール47を用いて「体の具合が悪い所はない」との回答を選択、入力する。「体の具合が悪い所はない」との回答があった場合には、制御部32は、患者の体調に問題がないことを一時的に記憶する。
【００５１】
なお、上述した患者の体の具合を確認するステップは必要に応じて設けられればよい。
【００５２】
ＰＴＰ包装体Ａの封止シート２の閉止部22が破られていない状態においては、コードＣは、収納シート１の錠剤収納部11側（内側）を向いた状態となっており、錠剤収納部11に収納された錠剤ＢでコードＣは略隠蔽された状態となっていると共に、コードＣをスキャナ３で読み取ろうとしても錠剤収納部11の壁部11aが邪魔をしてスキャナ３のコード読取モジュール45を十分にコードＣ上に近接させることができない。よって、ＰＴＰ包装体Ａの封止シート２における基材シート2aの閉止部22が破られていない状態においては、コードＣは、スキャナ３によって読み取ることができないように構成されている。
【００５３】
スキャナ３のコード読取部31で読み取られたコード情報は制御部32に電気信号として送られる。スキャナ３のコード記憶部34には、コードＣの種類と、錠剤の種類と、必要に応じて服用の注意情報などの情報とが一組となって錠剤情報として記憶されている。制御部32は、コード読取部31から送られたコード情報から得られたコードＣの種類と、コード記憶部34に記憶されている錠剤情報とを比較し、錠剤の種類を特定する〔ステップ２（Ｓ２）〕。又、コードＣに服用の注意事項などの情報が記憶されている場合には、制御部32は、コード読取部31から送られたコード情報から得られたコードＣの種類と、コード記憶部34に記憶されている錠剤情報とを比較して服用の注意事情を特定し、服用の注意情報を出力部36に電気信号として送信し、スピーカなどの出力モジュール46から音声などで服用の注意情報を出力するようにしてもよい。なお、制御部32は、スキャナ３のコード読取部31から受信したコード情報が暗号化されている場合は、コード情報の暗号を解いた（暗号の復号化）上で上記ステップ２が行われる。
【００５４】
制御部32は、コード読取部31でコードＣを読み取った時の時間を時間記憶部33に記憶された時間に基づいて服薬時間として取得する。制御部32は、コード読取部31で読み取られたコードＣの種類と服薬時間と錠剤の種類と服薬時の患者の病状とを一組とした服薬情報を作成する〔ステップ３（Ｓ３）〕。なお、服薬時の患者の病状（体調）は、必ずしも服薬情報に含める必要はない。
【００５５】
次に、制御部32は、得られた服薬情報を服薬情報記憶部35に記憶するが、この記憶に先立って、新しく得られた服薬情報のコードＣの種類と、既に服薬情報記憶部35に記憶されている既存の服薬情報のコードＣの種類とを比較する〔ステップ４（Ｓ４）〕。
【００５６】
制御部32は、新しく得られた服薬情報のコードＣと同一のコードが服薬情報記憶部35に記憶されていないと判断した場合には、新しく得られた服薬情報を服薬情報記憶部35に真正真服薬情報として記憶する〔ステップ５（Ｓ５）〕。
【００５７】
一方、制御部32は、新しく得られた服薬情報のコードＣと同一のコードが服薬情報記憶部35に既に記憶されていると判断した場合には、新しく得られた服薬情報は、重複服薬情報として服薬情報記憶部35に記憶する〔ステップ６（Ｓ６）〕。
【００５８】
医師は、スキャナ３の服薬情報記憶部35に記憶された服薬情報をスキャナ３の出力部36を通じて又はスキャナ３から取り出してパソコンなどを用いて確認することによって、医師は、処方した薬を患者が医師の指示通りに服用しているか否か、更に、服薬時の患者の体調を確認することができ、医師は患者の治療を適切に行うことができる。
【００５９】
上述のように、ＰＴＰ包装体ＡのコードＣは、収納シート１の錠剤収納部11を閉止している基材シート2aの閉止部22が破られない限り、スキャナ３を用いて読み取れる状態とはならない。従って、医師は、患者の正確な服薬情報を得ることができる。
【００６０】
又、一枚のＰＴＰ包装体Ａ内において、基材シート2aの閉止部22の内面22aに形成されたコードＣが、閉止部22が閉止している錠剤収納部11毎に異なるコードとされている場合には、一枚のＰＴＰ包装体Ａに収納された錠剤を順次、服用している限り、服薬情報記憶部35に記憶された服薬情報は全て真正服薬情報である。従って、医師は、服薬情報記憶部35に記憶された服薬情報に重複服薬情報が含まれている場合には、患者が医師の指示通りに正しく薬を服用していない可能性があるので、医師が患者に服薬状況を確認することによって今後の患者の治療を正しく行うことができる。
【００６１】
上記では、一枚の収納シート１（一枚のＰＴＰ包装体Ａ）において、封止シート２の基材シート2aの閉止部22の内面22aに形成されたコードＣが、閉止部22が閉止している錠剤収納部11毎に異なるコードである場合を説明したが、一枚の収納シート１（一枚のＰＴＰ包装体Ａ）において、封止シート２の基材シート2aの閉止部22の内面22aに形成されたコードＣが全て同じ場合には、ステップ４〜６は行われず、制御部32は、服薬情報を直ちに服薬情報記憶部35に記憶する。
【符号の説明】
【００６２】
１     収納シート
２     封止シート
2a      基材シート
2b      基材シート本体
３     スキャナ
11     錠剤収納部
11     錠剤収納部
20     光拡散層
21     印刷層
22     閉止部
22a    閉止部の内面
23     隠蔽層
24     接着剤層
31     コード読取部
32     制御部
33     時間記憶部
34     コード記憶部
35     服薬情報記憶部
36     出力部
44     補助記憶装置
45     コード読取モジュール
46     出力モジュール
Ａ     包装体
Ｂ     錠剤
Ｃ     コード
Ｄ     服薬記憶システム
【図１】
2015126761.tif 000003
【図２】
2015126761.tif 000004
【図３】
2015126761.tif 000005
【図４】
2015126761.tif 000006
【図５】
2015126761.tif 000007
【図６】
2015126761.tif 000008
【図７】
2015126761.tif 000009
【図８】
2015126761.tif 000010